(57)【要約】【課題】心地良い照明環境を作り出し得る照明装置を提供する。【解決手段】照明装置３０は、照明光によって浴室１０内の浴室空間Ｓ全体の照度を保つ主照明４０と、照明光によって浴室１０内の演出を行う第１演出照明５１と、を備えている。照明装置３０は、主照明４０及び第１演出照明５１から照射される照明光の強度を同時に増減させる調光制御、又は主照明４０及び第１演出照明５１から照射される照明光を同時に同系統の色に近づける調色制御の少なくとも一方の制御を行う制御部６１を備えている。【選択図】図１
2019046547.tif 000002
【特許請求の範囲】
【請求項１】
照明光によって浴室内の空間全体の照度を保つ主照明と、
照明光によって浴室内の演出を行う演出照明と、
前記主照明及び前記演出照明から照射される照明光の強度を同時に増減させる調光制御、又は前記主照明及び前記演出照明から照射される照明光を同時に同系統の色に近づける調色制御の少なくとも一方の制御を行う制御部と、
を備えることを特徴とする照明装置。
【請求項２】
前記調光制御又は前記調色制御の少なくとも一方の制御を行う同調操作部、前記主照明の点灯及び消灯を切り替える第１主照明操作部、及び前記演出照明の点灯及び消灯を切り替える演出照明操作部を有し、前記主照明及び前記演出照明を遠隔操作する第１操作部と、
前記第１主照明操作部の操作に応じて前記主照明の点灯及び消灯を制御する主照明制御部と、
前記演出照明操作部の操作に応じて前記演出照明の点灯及び消灯を制御する演出照明制御部と、
を備え、
前記制御部は、前記同調操作部の操作に応じて前記調光制御又は前記調色制御の少なくとも一方の制御を行うことを特徴とする請求項１に記載の照明装置。
【請求項３】
前記主照明の点灯及び消灯を切り替える第２主照明操作部を有し、浴室外に配置され、前記第１操作部とは異なる第２操作部を備え、
前記主照明制御部は、少なくとも前記第２主照明操作部の操作に応じて、前記主照明の点灯及び消灯の制御を行い、
前記演出照明制御部は、浴室内での前記演出照明操作部の操作に応じて、前記演出照明の点灯及び消灯の制御を行うことを特徴とする請求項２に記載の照明装置。
【請求項４】
前記調光制御又は前記調色制御の少なくとも一方の制御を行う同調操作部を有し、前記制御部を遠隔操作する第１操作部を備え、
前記同調操作部は、
前記主照明及び前記演出照明から照射される照明光の強度を同時に増大させる第１調光操作部と、
前記主照明及び前記演出照明から照射される照明光の強度を同時に減少させる第２調光操作部と、
前記主照明及び前記演出照明から照射される照明光を同時に昼光色に近づける第１調色操作部と、
前記主照明及び前記演出照明から照射される照明光を同時に電球色に近づける第２調色操作部と、
を具備し、
前記第１調光操作部、前記第２調光操作部、前記第１調色操作部、及び前記第２調色操作部は、前記第１調光操作部及び前記第２調光操作部を通る仮想線と、前記第１調色操作部及び前記第２調色操作部を通る仮想線と、が交差するように配置されていることを特徴とする請求項１乃至請求項３のいずれか１項に記載の照明装置。
【発明の詳細な説明】
【技術分野】
【０００１】
本発明は照明装置に関するものである。
【背景技術】
【０００２】
特許文献１には、浴室の天井部及び壁面にそれぞれ主照明器具及び壁面間接照明器具が設けられ、浴槽に水中照明器具が設けられる構成が開示されている。主照明器具、壁面間接照明器具、及び水中照明器具は、制御部の操作釦を操作することによって点灯制御等が行われる。具体的には、主照明器具は、操作釦を操作することによって浴室内空間の明るさを変えるように調光制御される。壁面間接照明器具は、操作釦を操作することによってオンオフ制御される。水中照明器具は、赤色発光体、緑色発光体、及び青色発光体を備えた光源部を有し、操作釦を操作することによって予め設定してある複数の固定色で順番に照射される。
【先行技術文献】
【特許文献】
【０００３】
【特許文献１】特許第４８０２９３９号公報
【発明の概要】
【発明が解決しようとする課題】
【０００４】
特許文献１の技術では、主照明器具、壁面間接照明器具、及び水中照明器具の各照明器具は、それぞれ異なる操作釦を操作することによって点灯制御される構成となっている。そのため、浴室内において、異なる照明器具から別系統の色の照明や強度の異なる照明がそれぞれ照射されることがある。例えば、ある照明器具が赤色の照明を照射し、他の照明器具が緑色の照明を照射するような状態が生じる。このような場合、浴室内に一体感の無い複数の照明光が照射される状態となり、心地良い照明環境とならない虞がある。
【０００５】
本発明は、上記従来の実情に鑑みてなされたものであって、心地良い照明環境を作り出し得る照明装置を提供することを解決すべき課題としている。
【課題を解決するための手段】
【０００６】
本発明の照明装置は、
照明光によって浴室内の空間全体の照度を保つ主照明と、
照明光によって浴室内の演出を行う演出照明と、
前記主照明及び前記演出照明から照射される照明光の強度を同時に増減させる調光制御、又は前記主照明及び前記演出照明から照射される照明光を同時に同系統の色に近づける調色制御の少なくとも一方の制御を行う制御部と、
を備えることを特徴とする。
【０００７】
この照明装置は、制御部によって、主照明及び演出照明から照射される照明光の強度を同時に増減させる調光制御、又は主照明及び演出照明から照射される照明光を同時に同系統の色に近づける調色制御の少なくとも一方の制御が行われる。そのため、異なる用途に用いられる主照明及び演出照明の照明光を同時に制御することができ、同時に強度の増減調整又は同系統への色の調整の少なくとも一方の調整を行うことによって浴室内を一体感のある照明光で照らすように変化させることができる。これにより、浴室内に心地良い照明環境を作り出すことができる。
【図面の簡単な説明】
【０００８】
【図１】実施例１に係る照明装置が設けられた浴室の様子を示す説明図である。
【図２】実施例１に係る第１操作部を概略的に示す平面図である。
【図３】実施例１に係る照明装置の電気的構成を概略的に例示するブロック図である。
【図４】図３の第１操作部及び第２操作部の電気的構成を概略的に例示するブロック図である。
【図５】図３の制御装置で実行される制御の流れを示すフローチャートである。
【図６】図３の制御装置で行われる同調制御における照明光の照度の変化と光温度の変化を概略的に説明する説明図である。
【図７】実施例２の制御装置で実行される制御の流れを示すフローチャートである。
【発明を実施するための形態】
【０００９】
本発明における好ましい実施の形態を説明する。
【００１０】
本発明の照明装置は、
前記調光制御又は前記調色制御の少なくとも一方の制御を行う同調操作部、前記主照明の点灯及び消灯を切り替える第１主照明操作部、及び前記演出照明の点灯及び消灯を切り替える演出照明操作部を有し、前記主照明及び前記演出照明を遠隔操作する第１操作部と、
前記第１主照明操作部の操作に応じて前記主照明の点灯及び消灯を制御する主照明制御部と、
前記演出照明操作部の操作に応じて前記演出照明の点灯及び消灯を制御する演出照明制御部と、
を備え、
前記制御部は、前記同調操作部の操作に応じて前記調光制御又は前記調色制御の少なくとも一方の制御を行い得る。
この場合、この照明装置は、第１操作部を操作することによって、主照明及び演出照明の点灯及び消灯の制御、調光制御、調色制御を遠隔操作で行うことができる。このため、この照明装置は、主照明及び演出照明を制御するために操作を行う場所が制限されないため、使用者の利便性を向上させることができる。
【００１１】
本発明の照明装置は、
前記主照明の点灯及び消灯を切り替える第２主照明操作部を有し、浴室外に配置され、前記第１操作部とは異なる第２操作部を備え、
前記主照明制御部は、少なくとも前記第２主照明操作部の操作に応じて、前記主照明の点灯及び消灯の制御を行い、
前記演出照明制御部は、浴室内での前記演出照明操作部の操作に応じて、前記演出照明の点灯及び消灯の制御を行い得る。
この場合、この照明装置は、浴室外での第２主照明操作部の操作に応じて主照明の点灯及び消灯が行われるため、浴室空間全体の最低限の照度を保つための操作を行ってから入室することができる。一方で、この照明装置は、浴室内での演出照明操作部の操作に応じて演出照明の点灯及び消灯の制御が行われるため、浴室の利用中において必要なときのみに演出照明を利用することができる。
【００１２】
本発明の照明装置は、
前記調光制御又は前記調色制御の少なくとも一方の制御を行う同調操作部を有し、前記制御部を遠隔操作する第１操作部を備え、
前記同調操作部は、
前記主照明及び前記演出照明から照射される照明光の強度を同時に増大させる第１調光操作部と、
前記主照明及び前記演出照明から照射される照明光の強度を同時に減少させる第２調光操作部と、
前記主照明及び前記演出照明から照射される照明光を同時に昼光色に近づける第１調色操作部と、
前記主照明及び前記演出照明から照射される照明光を同時に電球色に近づける第２調色操作部と、
を具備し、
前記第１調光操作部、前記第２調光操作部、前記第１調色操作部、及び前記第２調色操作部は、前記第１調光操作部及び前記第２調光操作部を通る仮想線と、前記第１調色操作部及び前記第２調色操作部を通る仮想線と、が交差するように配置され得る。
この場合、この照明装置は、第１調光操作部及び第２調光操作部を通る仮想線と、第１調色操作部及び第２調色操作部を通る仮想線と、が交差するように配置されているため、調光に関して反対の制御を行う第１調光操作部及び第２調光操作部を、第１調色操作部及び第２調色操作部を通る仮想線を基準に対称的な位置に配置することができる。同様に、調色に関して反対の制御を行う第１調色操作部及び第２調色操作部を、第１調光操作部及び第２調光操作部を通る仮想線を基準に対称的な位置に配置することができる。さらに、各仮想線が交差することで、調光制御を行うための操作部と、調色制御を行うための操作部と、を一体的に配置することができ、調光制御と調色制御を組み合わせた制御が行い易くなる。
【００１３】
次に、本発明の照明装置を具体化した実施例について、図面を参照しつつ説明する。
【００１４】
＜実施例１＞
図１は、実施例１に係る照明装置３０が設けられた浴室１０の様子を示す説明図である。浴室１０は、図１に示すように、天井パネル１０Ａ、及び洗い場床１０Ｂ等を備えている。浴室１０は、天井パネル１０Ａ、洗い場床１０Ｂ、複数の壁パネル等によって区画された浴室空間Ｓが形成されている。浴室１０は、図示しない窓、浴室出入口等が形成されている。浴室１０は、浴槽１２、ベンチカウンター１３、洗い場１４、シャワー装置２０、照明装置３０（図３参照）が設けられている。照明装置３０が備える主照明４０、第１演出照明（請求項の「演出照明」に相当）５１、第２演出照明５２、第３演出照明５３が浴室空間Ｓ内に露出している。
【００１５】
シャワー装置２０は、浴槽１２から洗い場１４を挟んだ反対側の壁パネルと、この壁面に連なる天井パネルとに跨るように設けられている。シャワー装置２０は、装置本体２１、オーバーヘッドシャワー部２２、ハンドシャワー部２３、及びカラン部２４を備えている。装置本体２１は、壁パネルに配置されている。オーバーヘッドシャワー部２２は、装置本体２１の上部に接続されて洗い場１４の上方の天井パネルに配置されている。ハンドシャワー部２３は、装置本体２１の側面に接続されている。カラン部２４は、装置本体２１の下端部に設けられている。
【００１６】
装置本体２１は、上下方向に細長い柱形状に形成されている。装置本体２１は、内部に給湯配管やバルブ等が収容されている。装置本体２１は、複数の操作部２１Ａを備えている。操作部２１Ａは、オーバーヘッドシャワー部２２、ハンドシャワー部２３、及びカラン部２４からの吐水のオン−オフや流量（単位時間当たりに吐出される水量）の調整、及び湯温の調整等を行う際に操作される。
【００１７】
オーバーヘッドシャワー部２２は、上下方向に直交する方向（水平方向）に細長い略直方体形状に形成されている。オーバーヘッドシャワー部２２は、下面側に複数の吐水口２２Ｂが形成された吐水部２２Ａを備えている。吐水部２２Ａは、後述する第１演出照明５１が設けられている。
【００１８】
浴槽１２は、浴槽１２内に向けて吐水流が吐き出される吐水装置１２Ａが設けられている。吐水装置１２Ａは、後述する第２演出照明５２が設けられている。
【００１９】
照明装置３０は、主照明４０と、第１演出照明５１と、第２演出照明５２と、第３演出照明５３と、制御装置６０（図３参照）と、第１操作部７０（図２、図４参照）と、第２操作部９０（図４参照）と、を備えている。照明装置３０は、主照明４０と、第１演出照明５１、第２演出照明５２、及び第３演出照明５３の点灯及び消灯を切り替える制御を行う。照明装置３０は、主照明４０及び第１演出照明５１から照射される照明光の強度を同時に増減させる調光制御と、主照明４０及び第１演出照明５１から照射される照明光を同時に同系統の色に近づける調色制御を行う。ここで、調光制御又は調色制御の少なくとも一方を行う制御を同調制御という。
【００２０】
主照明４０は、図1に示すように、長尺状に形成され、天井パネルの一側の縁部分に埋め込まれている。主照明４０は、照射する照明光によって浴室空間Ｓ全体の照度を保つように機能する。浴室空間Ｓ全体の照度を保つということは、使用者が体を洗う行為や浴槽に出入りする際に支障にならない程度の明るさとなることである。主照明４０は、線状に光を照射するライン照明として構成されている。主照明４０は、例えば、図示しないケーシング、光源部、及び透光部材等を備えている。光源部は、所定間隔で直線状に並べられた複数のＬＥＤによって構成されている。光源部は、例えば、光源部は、昼光色の照明光を発するＬＥＤと、電球色の照明光を発するＬＥＤと、を組み合わせることで、照明光が昼光色から電球色の間で任意に変化する構成となっている。光源部は、ケーシングの内部に配置され、透光部材を介して照明光を浴室空間Ｓ内に向けて照射する。
【００２１】
第１演出照明５１は、図1に示すように、シャワー装置２０のオーバーヘッドシャワー部２２に組み付けられている。第１演出照明５１は、照射する照明光によって浴室１０内の演出を行うように機能する。第１演出照明５１は、洗い場１４を一定の明るさに保つとともに、オーバーヘッドシャワー部２２から吐水される水や湯を照らす演出を行う。第１演出照明５１は、例えば、図示しないケーシング、光源部、及び透光部材等を備えている。光源部は、複数のＬＥＤを備え、ケーシングの内部に配置されている。光源部は、主照明４０の光源部と同様に、照明光が昼光色から電球色の間で任意に変化する構成となっている。光源部は、透光部材を介して照明光を浴室空間Ｓ内の一部分（オーバーヘッドシャワー部２２の下方側の一部空間）に向けて照射する。なお、光源部は、浴室空間Ｓ全体を照らすように照明光を照射してもよい。
【００２２】
第２演出照明５２は、図1に示すように、吐水装置１２Ａに組み付けられている。第２演出照明５２は、照射する照明光によって浴室１０内の演出を行うように機能する。第２演出照明５２は、例えば、図示しないケーシング、光源部、及び透光部材等を備えている。ケーシングは、吐水装置１２Ａにおける吐水流を吐き出す吐水口の近傍に組み付けられている。光源部は、１又は複数のＬＥＤを備え、ケーシングの内部に配置されている。光源部は、透光部材を介して照明光を浴槽１２内に向けて（具体的には、吐水流、浴槽１２に張ったお湯等に向けて）照射する。
【００２３】
第３演出照明５３は、図1に示すように、天井パネルに組み付けられている。第３演出照明５３は、照射する照明光によって浴室１０内の演出を行うように機能する。第３演出照明５３は、例えば、図示しないケーシング、光源部、及び透光部材等を備えている。光源部は、１又は複数のＬＥＤを備え、天井パネルに組み付けられるケーシングの内部に配置されている。光源部は、透光部材を介して照明光を浴室空間Ｓ内の一部（浴槽１２にもたれた入浴者の手元の位置等）に向けて照射する。
【００２４】
第１操作部７０は、図２に示すように、持ち運び可能なリモートコントローラとして構成されている。第１操作部７０は、制御装置６０と無線通信（例えば、Ｂｌｕｅｔｏｏｔｈ（登録商標）通信、赤外線通信等）を行うことで、主照明４０、第１演出照明５１、第２演出照明５２、及び第３演出照明５３を遠隔操作するように機能する。第１操作部７０は、図２、図４に示すように、ケース７０Ａと、制御部７１と、通信部７２と、バッテリ７３と、を備えている。第１操作部７０は、さらに、図２、図４に示すように、同調操作部８１と、第１主照明ボタン（請求項の「第１主照明操作部」に相当）８５と、第１演出照明ボタン（請求項の「第１演出照明操作部」に相当）８６と、第２演出照明ボタン８７と、第３演出照明ボタン８８と、を備えている。ケース７０Ａは、長板状の外観を有し、各種電子部品を内部に収容している。ケース７０Ａの外表面は、同調操作部８１、第１主照明ボタン８５、第１演出照明ボタン８６、第２演出照明ボタン８７、及び第３演出照明ボタン８８が操作可能に露出している。
【００２５】
第１主照明ボタン８５、第１演出照明ボタン８６、第２演出照明ボタン８７、第３演出照明ボタン８８は、図２に示すように、平面視略円形状のボタンであり、ケース７０Ａの長手方向に沿って一列状に配置されている。第１主照明ボタン８５は、主照明４０の点灯及び消灯を切り替えるボタンである。第１演出照明ボタン８６は、第１演出照明５１の点灯及び消灯を切り替えるボタンである。第２演出照明ボタン８７は、第２演出照明５２の点灯及び消灯を切り替えるボタンである。第３演出照明ボタン８８は、第３演出照明５３の点灯及び消灯を切り替えるボタンである。
【００２６】
同調操作部８１は、図２、図４に示すように、第１調光ボタン（請求項の「第１調光操作部」に相当）８２Ａと、第２調光ボタン（請求項の「第２調光操作部」に相当）８２Ｂと、第１調色ボタン（請求項の「第１調色操作部」に相当）８３Ａと、第２調色ボタン（請求項の「第２調色操作部」に相当）８３Ｂと、を備えている。同調操作部８１は、さらに、図２、図４に示すように、第１調光調色ボタン８４Ａと、第２調光調色ボタン８４Ｂと、第３調光調色ボタン８４Ｃと、を備えている。
【００２７】
第１調光ボタン８２Ａ、第２調光ボタン８２Ｂ、第１調色ボタン８３Ａ、第２調色ボタン８３Ｂは、図２に示すように、平面視略円形状のボタンであり、所定の円周上に等間隔で並び一体的なデザインとなるように配置されている。第１調光ボタン８２Ａは、主照明４０及び第１演出照明５１から照射される照明光の強度を同時に増大させるように機能する。第２調光ボタン８２Ｂは、主照明４０及び第１演出照明５１から照射される照明光の強度を同時に減少させるように機能する。第１調色ボタン８３Ａは、主照明４０及び第１演出照明５１から照射される照明光を同時に昼光色に近づけるように機能する。第２調色ボタン８３Ｂは、主照明４０及び第１演出照明５１から照射される照明光を同時に電球色に近づけるように機能する。
【００２８】
第１調光ボタン８２Ａ、第２調光ボタン８２Ｂ、第１調色ボタン８３Ａ、第２調色ボタン８３Ｂは、図２に示すように、第１調光ボタン８２Ａ及び第２調光ボタン８２Ｂを通る仮想線Ｌ１と、第１調色ボタン８３Ａ及び第２調色ボタン８３Ｂを通る仮想線Ｌ２と、が直交するようにケース７０Ａに配置されている。仮想線Ｌ１，Ｌ２は、それぞれケース７０Ａの長手方向及び短手方向に平行である。したがって、調光に関して反対の制御を行う第１調光ボタン８２Ａ及び第２調光ボタン８２Ｂが、仮想線Ｌ２の線対称となる位置に配置される。調色に関して反対の制御を行う第１調色ボタン８３Ａ及び第２調色ボタン８３Ｂが、仮想線Ｌ１の線対称となる位置に配置される。このような構成によって、調光制御を行うボタンと、調色制御を行うボタンと、を一体的に配置することができ、調光制御と調色制御を組み合わせた制御が行い易くなる。
【００２９】
第１調光調色ボタン８４Ａは、主照明４０及び第１演出照明５１から照射される照明光の強度を同時に増大させる（照度が最大照度に対しておよそ１００％になるように増大させる）とともに、照明光を同時に昼光色（色温度がおよそ７１００Ｋ）に近づけるように機能する。第２調光調色ボタン８４Ｂは、主照明４０及び第１演出照明５１から照射される照明光の強度を同時に増大又は減少させる（照度が最大照度に対しておよそ５０％になるように増大又は減少させる）とともに、照明光を同時に温白色（色温度がおよそ３５００Ｋ）に近づけるように機能する。第３調光調色ボタン８４Ｃは、主照明４０及び第１演出照明５１から照射される照明光の強度を同時に減少（照度が最大照度に対しておよそ１０％になるように減少させる）させるとともに、照明光を同時に電球色（色温度がおよそ２６００Ｋ）に近づけるように機能する。
【００３０】
第１調光調色ボタン８４Ａ、第２調光調色ボタン８４Ｂ、及び第３調光調色ボタン８４Ｃは、図２に示すように、平面視略円形状のボタンであり、第１調色ボタン８３Ａと隣り合う位置において、ケース７０Ａの長手方向に沿って一列状に配置されている。ケース７０Ａの長手方向中央側に向かって、第１調光調色ボタン８４Ａ、第２調光調色ボタン８４Ｂ、第３調光調色ボタン８４Ｃの順に並んでいる。
【００３１】
制御部７１は、第１操作部７０を全体的に制御可能なマイコンで、ＣＰＵ、通信線、入出力インタフェース等からなるものであり、情報処理機能を有している。制御部７１は、内蔵された入出力インタフェースを介して、通信部７２、バッテリ７３、上記各種ボタン等が接続されている。バッテリ７３は、例えば所定の直流電圧を発生可能な２次電池として構成され、制御部７１等に電力を供給する。通信部７２は、例えば公知のアンテナ等によって構成されている。制御部７１は、上記各種ボタンによって入力された操作信号を、通信部７２を介して制御装置６０に無線送信する。
【００３２】
第２操作部９０は、主照明４０の点灯及び消灯を切り替えるために操作する操作部である。第２操作部９０は、図４に示すように、主照明４０の点灯及び消灯を切り替えるように機能する第２主照明ボタン（請求項の「第２主照明操作部」に相当）９１を備えている。第２操作部９０は、浴室空間Ｓの外部の壁面（例えば、浴室１０に連なる脱衣室における浴室出入口付近の壁面）に設けられている。
【００３３】
図３は、照明装置３０の電気的構成を概略的に例示するブロック図である。制御装置６０は、公知のコンピュータとして構成され、照明装置３０全体を制御し、ＣＰＵ、メモリ、通信線、入出力インタフェース等を有し、情報処理装置として機能する。制御装置６０は、主照明４０、第１演出照明５１、第２演出照明５２、第３演出照明５３、第２操作部８０、及び通信部６４等が接続されている。主照明４０、第１演出照明５１、第２演出照明５２、及び第３演出照明５３は、制御装置６０によって制御される構成をなしており、それぞれ、制御装置６０からの指令を受けて動作する。制御装置６０は、例えば公知のアンテナ等によって構成される通信部６４を介して、第１操作部７０からの操作信号を無線通信によって受信する。制御装置６０は、第２操作部９０からの操作信号を有線通信によって受信する。
【００３４】
制御装置６０は、図３に示すように、制御部６１、主照明制御部６２、及び演出照明制御部６３の各機能が含まれている。制御装置６０で実行される各機能は、ＣＰＵ等によるソフトウェア処理によって実現されてもよく、ハードウェア回路によって実現されてもよい。各機能は別々の装置によって実現されてもよく、共通の装置によって実現されてもよい。
【００３５】
制御部６１は、主照明４０及び第１演出照明５１から照射される照明光の強度を同時に増減させる調光制御と、主照明４０及び第１演出照明５１から照射される照明光を同時に同系統の色に近づける調色制御を行う機能を有する部分である。具体的には、制御部６１は、第１調光ボタン８２Ａが押下されている間に主照明４０及び第１演出照明５１から照射される照明光の強度を同時に増大させ続け、押下状態が解除されると強度の増大を停止する。制御部６１は、第２調光ボタン８２Ｂが押下されている間に主照明４０及び第１演出照明５１から照射される照明光の強度を同時に減少させ続け、押下状態が解除されると強度の減少を停止する。制御部６１は、第１調色ボタン８３Ａが押下されている間に主照明４０及び第１演出照明５１から照射される照明光を同時に昼光色に近づけ、押下状態が解除されると昼光色に近づける制御を停止する。制御部６１は、第２調色ボタン８３Ｂが押下されている間に主照明４０及び第１演出照明５１から照射される照明光を同時に電球色に近づけ、押下状態が解除されると電球色に近づける制御を停止する。
【００３６】
制御部６１は、第１調光調色ボタン８４Ａの押下に応じて、主照明４０及び第１演出照明５１から照射される照明光の強度を同時に増大させる（照度が最大照度に対しておよそ１００％になるように増大させる）とともに、照明光を同時に昼光色（色温度がおよそ７１００Ｋ）に近づける。制御部６１は、第２調光調色ボタン８４Ｂの押下に応じて、主照明４０及び第１演出照明５１から照射される照明光の強度を同時に増大又は減少させる（照度が最大照度に対しておよそ５０％になるように増大又は減少させる）とともに、照明光を同時に温白色（色温度がおよそ３５００Ｋ）に近づける。制御部６１は、第３調光調色ボタン８４Ｃの押下に応じて、主照明４０及び第１演出照明５１から照射される照明光の強度を同時に減少させる（照度が最大照度に対しておよそ１０％になるように減少させる）とともに、照明光を同時に電球色（色温度がおよそ２６００Ｋ）に近づける。
【００３７】
主照明制御部６２は、第１主照明ボタン８５又は第２主照明ボタン９１の操作に応じて、主照明４０の点灯及び消灯を制御する機能を有する部分である。具体的には、主照明制御部６２は、第１主照明ボタン８５又は第２主照明ボタン９１が操作されるごとに、主照明４０の点灯状態と消灯状態とを切り替える。
【００３８】
演出照明制御部６３は、浴室１０内での第１演出照明ボタン８６、第２演出照明ボタン８７、及び第３演出照明ボタン８８の操作に応じて、それぞれ第１演出照明５１、第２演出照明５２、及び第３演出照明５３の点灯及び消灯を制御する機能を有する部分である。
【００３９】
次に、浴室１０の使用時に制御装置６０で実行される制御の流れについて、図５、図６等を参照して説明する。図５は、制御装置６０で実行される制御の流れを示すフローチャートである。図６は、制御装置６０で行われる同調制御における照明光の照度の変化と光温度の変化を概略的に説明する説明図である。浴室１０が使用される前に、主照明４０、第１演出照明５１、第２演出照明５２、及び第３演出照明５３は消灯状態になっている。
【００４０】
浴室１０の使用者は、浴室１０に入室する際に、浴室１０外で第２操作部９０の第２主照明ボタン９１を押下する。制御装置６０は、第２主照明ボタン９１の押下に応じて、主照明４０を点灯させる（図５のステップＳ１）。ステップＳ１では、主照明４０からの照明光が、温白色（色温度がおよそ３５００Ｋ）で、照度が最大照度に対しておよそ５０％になるように制御される（図６参照）。主照明４０から照明光が照射されることで、浴室空間Ｓ全体の明るさが保たれる。
【００４１】
使用者は、浴室１０に入室した後、シャワーを浴びる際などの任意のタイミングにおいて、浴室１０内で第１操作部７０の第１演出照明ボタン８６を押下する。制御装置６０は、第１演出照明ボタン８６の押下に応じて、第１演出照明５１を点灯させる（ステップＳ２）。ステップＳ２では、第１演出照明５１からの照明光が、温白色（色温度がおよそ３５００Ｋ）で、照度が最大照度に対しておよそ５０％になるように制御される（図６参照）。第１演出照明５１から照明光が照射されることで、洗い場１４が一定の明るさに保たれ、オーバーヘッドシャワー部２２から吐水される水や湯を照らす演出が行われる。
【００４２】
使用者は、第１演出照明５１を点灯させた後、第１操作部７０を操作することで、主照明４０及び第１演出照明５１を用いた演出を行う。制御装置６０は、第１操作部７０の操作に応じて、主照明４０及び第１演出照明５１を同調制御する（ステップＳ３）。例えば、使用者が第１調光調色ボタン８４Ａを押下すると、制御装置６０は、図６に示す変化Ａのように、主照明４０及び第１演出照明５１から照射される照明光の照度を同時に１００％に増大させるとともに、照明光を同時に昼光色（色温度がおよそ７１００Ｋ）に近づける。これにより、浴室１０内を昼光色で照度の大きい一体感のある照明光で照らすように変化させることができ、浴室１０内に目の覚めるような心地良い照明環境を作り出すことができる。
【００４３】
図６に示す変化Ａでは、主照明４０及び第１演出照明５１から照射される照明光の照度の増加率が変化過程で次第に低くなっている。これにより、主照明４０及び第１演出照明５１から照射される照明光に対して、強度の高い段階における変化を緩やかにして、いきなり強度の高い照明光に照らされずより心地良い照明環境を作り出すことができる。
【００４４】
一方、使用者が第３調光調色ボタン８４Ｃを押下すると、制御装置６０は、図６の変化Ｂのように、主照明４０及び第１演出照明５１から照射される照明光の照度を同時におよそ１０％に減少させるとともに、照明光を同時に電球色（色温度がおよそ２６００Ｋ）に近づける。これにより、浴室１０内を電球色で照度の小さい一体感のある照明光で照らすように変化させることができ、浴室１０内に幻想的でリラックスできる心地良い照明環境を作り出すことができる。
【００４５】
なお、使用者は、ステップＳ２の後、第１調光ボタン８２Ａ、第２調光ボタン８２Ｂ、第１調色ボタン８３Ａ、第２調色ボタン８３Ｂを操作してもよい。制御装置６０は、第１調光ボタン８２Ａ又は第２調光ボタン８２Ｂの操作に応じて、主照明４０及び第１演出照明５１を調光制御する。一方で、制御装置６０は、第１調色ボタン８３Ａ又は第２調色ボタン８３Ｂの操作に応じて、主照明４０及び第１演出照明５１を調色制御する。これらの同調制御によっても、浴室１０内を一体感のある照明光で照らすように変化させることができ、浴室１０内に心地良い照明環境を作り出すことができる。
【００４６】
使用者は、ステップＳ３の後、浴室１０内で第１操作部７０の第１演出照明ボタン８６を押下することで、主照明４０及び第１演出照明５１を用いた演出を終了させて、第１演出照明５１を消灯させる。制御装置６０は、第１演出照明ボタン８６の押下に応じて、第１演出照明５１を消灯させる（ステップＳ４）。
【００４７】
使用者は、ステップＳ４の後、浴室１０から退室し、浴室１０外で第２操作部９０の第２主照明ボタン９１を押下する。制御装置６０は、第２主照明ボタン９１の押下に応じて、主照明４０を消灯させる（ステップＳ５）。ステップＳ５が終了すると、図５の処理が終了する。
【００４８】
以下、本構成の効果を例示する。
実施例１の照明装置３０は、制御部６１によって、主照明４０及び第１演出照明５１から照射される照明光の強度を同時に増減させる調光制御、又は主照明４０及び第１演出照明５１から照射される照明光を同時に同系統の色に近づける調色制御の少なくとも一方の制御が行われる。そのため、異なる用途に用いられる主照明４０及び第１演出照明５１の照明光を同時に制御することができ、同時に強度の増減調整又は同系統への色の調整の少なくとも一方の調整を行うことによって、浴室１０内を一体感のある照明光で照らすように変化させることができる。これにより、浴室１０内に心地良い照明環境を作り出すことができる。
【００４９】
照明装置３０は、調光制御又は調色制御の少なくとも一方の制御を行う同調操作部８１、主照明４０の点灯及び消灯を切り替える第１主照明ボタン８５、及び第１演出照明５１の点灯及び消灯を切り替える第１演出照明ボタン８６を有し、主照明４０及び第１演出照明５１を遠隔操作する第１操作部７０と、第１主照明ボタン８５の操作に応じて主照明４０の点灯及び消灯を制御する主照明制御部６２と、第１演出照明ボタン８６の操作に応じて第１演出照明５１の点灯及び消灯を制御する演出照明制御部６３と、を備え、制御部６１は、同調操作部８１の操作に応じて調光制御又は調色制御の少なくとも一方の制御を行う。このため、第１操作部７０を操作することによって、主照明４０及び第１演出照明５１の点灯及び消灯の制御、調光制御、調色制御を遠隔操作で行うことができる。そのため、シャワーを浴びながら、浴槽１２に浸かりながら等の操作が可能であり、主照明４０及び第１演出照明５１を制御するために操作を行う場所が制限されないため、使用者の利便性を向上させることができる。
【００５０】
照明装置３０は、主照明４０の点灯及び消灯を切り替える第２主照明ボタン９１を有し、浴室１０外に配置され、第１操作部７０とは異なる第２操作部９０を備え、主照明制御部６２は、第２主照明ボタン９１の操作に応じて、主照明４０の点灯及び消灯の制御を行い、演出照明制御部６３は、浴室１０内での第１演出照明ボタン８６の操作に応じて、第１演出照明５１の点灯及び消灯の制御を行う。これにより、浴室１０外での第２主照明ボタン９１の操作に応じて主照明４０の点灯及び消灯が行われるため、浴室空間Ｓ全体の最低限の照度を保つための操作を行ってから入室することができる。一方で、浴室１０内での第１演出照明ボタン８６の操作に応じて第１演出照明５１の点灯及び消灯の制御が行われるため、浴室１０の利用中において必要なときに第１演出照明５１を利用することができる。
【００５１】
照明装置３０は、同調操作部８１が、主照明４０及び第１演出照明５１から照射される照明光の強度を同時に増大させる第１調光ボタン８２Ａと、主照明４０及び第１演出照明５１から照射される照明光の強度を同時に減少させる第２調光ボタン８２Ｂと、主照明４０及び第１演出照明５１から照射される照明光を同時に昼光色に近づける第１調色ボタン８３Ａと、主照明４０及び第１演出照明５１から照射される照明光を同時に電球色に近づける第２調色ボタン８３Ｂと、を具備し、第１調光ボタン８２Ａ、第２調光ボタン８２Ｂ、第１調色ボタン８３Ａ、及び第２調色ボタン８３Ｂは、第１調光ボタン８２Ａ及び第２調光ボタン８２Ｂを通る仮想線Ｌ１と、第１調色ボタン８３Ａ及び第２調色ボタン８３Ｂを通る仮想線Ｌ２と、が交差するように配置されている。これにより、第１調光ボタン８２Ａ及び第２調光ボタン８２Ｂを通る仮想線Ｌ１と、第１調色ボタン８３Ａ及び第２調色ボタン８３Ｂを通る仮想線Ｌ２と、が交差するように配置されているため、調光に関して反対の制御を行う第１調光ボタン８２Ａ及び第２調光ボタン８２Ｂを、仮想線Ｌ２を基準に対称的な位置に配置することができる。同様に、調色に関して反対の制御を行う第１調色ボタン８３Ａ及び第２調色ボタン８３Ｂを、仮想線Ｌ１を基準に対称的な位置に配置することができる。さらに、各仮想線Ｌ１，Ｌ２が交差することで、調光制御を行うための操作部と、調色制御を行うための操作部と、を一体的に配置することができ、調光制御と調色制御を組み合わせた制御が行い易くなる。
【００５２】
＜実施例２＞
次に、実施例２について説明する。
実施例２の照明装置３０は、浴室１０の入室時に主照明４０及び第１演出照明５１を同時に点灯させ、照明の同調制御後、浴室１０内で主照明４０及び第１演出照明５１のうち不要な照明を消灯させる点が実施例１と異なる。その他の構成は実施例１と同一であり、同一の構成は同一の符号を付し、詳細な説明を省略する。
【００５３】
この照明装置３０は、第２操作部９０が、主照明４０及び第１演出照明５１の点灯及び消灯を同時に切り替える切替ボタン（図示略）を備えている。
【００５４】
図７は、制御装置６０で実行される制御の流れを示すフローチャートである。浴室１０の使用時に制御装置６０で実行される制御の流れについて、図７等を参照して説明する。浴室１０の使用者は、浴室１０に入室する際に、浴室１０外で第２操作部９０の切替ボタン（図示略）を押下する。制御装置６０は、切替ボタンの押下に応じて、主照明４０及び第１演出照明５１を同時に点灯させる（図７のステップＳ１１）。ステップＳ１１では、主照明４０及び第１演出照明５１からの照明光が、例えば温白色（色温度がおよそ３５００Ｋ）で、照度が最大照度に対しておよそ５０％になるように制御される（図６参照）。
【００５５】
使用者は、浴室１０に入室した後、第１操作部７０を操作することで、主照明４０及び第１演出照明５１を用いた演出を行う。制御装置６０は、第１操作部７０の操作に応じて、実施例１のステップＳ３と同様の方法で、主照明４０及び第１演出照明５１を同調制御する（ステップＳ１２）。
【００５６】
使用者は、ステップＳ１２の後、浴室１０内で第１操作部７０の第１主照明ボタン８５又は第１演出照明ボタン８６を押下することで、主照明４０又は第１演出照明５１を消灯させる。制御装置６０は、第１主照明ボタン８５又は第１演出照明ボタン８６の押下に応じて、主照明４０又は第１演出照明５１を消灯させる（ステップＳ１３）。これにより、主照明４０又は第１演出照明５１のうち必要のない照明を消灯させることができる。例えば、使用者がオーバーヘッドシャワー部２２から吐水される水や湯を使用してシャワーを浴びる場合、浴室１０内で第１主照明ボタン８５を押下することで、制御装置６０が主照明４０を消灯させる。一方で、使用者が浴槽１２に浸かって入浴する場合には、浴室１０内で第１演出照明ボタン８６を押下することで、制御装置６０が第１演出照明５１を消灯させる。
【００５７】
ステップＳ１３で主照明４０を消灯する場合には、ステップＳ１１で主照明４０又は第１演出照明５１を同時点灯させた後に、ステップＳ１２の同調制御を介して、第１操作部７０を操作する流れになり、第１演出照明５１の照明のみを残す操作が簡易になる。従来のように、主照明と第１演出照明がそれぞれ独立して制御される構成では、主照明の点灯操作、主照明の消灯操作、第１演出照明の点灯操作の順に操作を行う必要があり、操作回数が多かった。そこで、制御装置６０を図７の制御を行う構成とすることで、主照明４０と第１演出照明５１の同調制御を行った上で、第１演出照明５１の照明のみを残す操作を簡易に行うことができる。
【００５８】
使用者は、ステップＳ１３の後、ステップＳ１２で点灯状態が継続された照明を消灯させる。制御装置６０は、第１操作部７０又は第２操作部９０の押下に応じて、点灯状態にある主照明４０又は第１演出照明５１を消灯させ、全ての照明を消灯する（ステップＳ１４）。例えば、主照明４０が点灯状態にあるとき、第１操作部７０の第１主照明ボタン８５、又は第２操作部９０の第２主照明ボタン９１を押下して主照明４０を消灯させる。一方で、第１演出照明５１が点灯状態にあるとき、第１操作部７０の第１演出照明ボタン８６、又は第２操作部９０の切替ボタンを押下して第１演出照明５１を消灯させる。ここで、切替ボタンは、例えば主照明４０又は第１演出照明５１の一方が点灯状態にあるときに押下されると、その照明を消灯させるように機能する。なお、第２操作部９０に第１演出照明５１の点灯及び消灯を切り替えるボタンを設ける構成とし、このボタンを押下して第１演出照明５１を消灯させてもよい。ステップＳ１４が終了すると、図７の処理が終了する。
【００５９】
本発明は上記記述及び図面によって説明した実施例に限定されるものではなく、例えば次のような実施例も本発明の技術的範囲に含まれる。
（１）実施例１，２では、制御装置６０の同調制御において、主照明４０及び第１演出照明５１が同じ照度割合にならないように同時に増減させてもよい。また、制御装置６０の同調制御において、主照明４０及び第１演出照明５１が同系統でなくても一体感のある色であれば異なる系統の色に制御されてもよい。
（２）実施例１，２では、制御装置６０の同調制御において、色温度が２６００Ｋ、３５００Ｋ、７１００Ｋ以外に制御されてもよく、照度が１０％、５０％、１００％以外に制御されてもよい。
（３）実施例１，２では、制御部６１は、第１調光ボタン８２Ａの押下に応じて、押下状態の解除の有無に拘らず、主照明４０及び第１演出照明５１から照射される照明光の照度を同時に１００％に増大させる構成としてもよい。同様に、制御部６１は、第２調光ボタン８２Ｂの押下に応じて、押下状態の解除の有無に拘らず、主照明４０及び第１演出照明５１から照射される照明光の強度を同時に１０％に減少させる構成としてもよい。同様に、制御部６１は、第１調色ボタン８３Ａの押下に応じて、押下状態の解除の有無に拘らず、主照明４０及び第１演出照明５１から照射される照明光を昼光色に変化させる構成としてもよい。同様に、制御部６１は、第２調色ボタン８３Ｂの押下に応じて、押下状態の解除の有無に拘らず、主照明４０及び第１演出照明５１から照射される照明光を電球色に変化させる構成としてもよい。
（４）実施例１，２では、第２操作部９０の操作によって、主照明４０及び第１演出照明５１を同調制御する構成であってもよい。
（５）実施例１，２では、演出照明制御部６３が、浴室１０の外部からの第１操作部７０の操作によって、第１演出照明５１、第２演出照明５２、及び第３演出照明５３の点灯及び消灯を切り替える制御を行ってもよい。また、演出照明制御部６３が、浴室１０の外部からの第１操作部７０の操作によって、主照明４０及び第１演出照明５１の同調制御を行ってもよい。
（６）実施例１，２では、ステップＳ１，Ｓ１１で照射される主照明４０からの照明光は、温白色以外の色であってもよく、照度が５０％以外であってもよい。
（７）実施例１，２では、制御装置６０は、主照明４０及び第１演出照明５１から照射される照明光を昼光色、温白色、及び電球色以外の色（例えば、赤色や青色等）に変化させてもよい。
（８）実施例１，２では、主照明４０は、照射する照明光によって浴室空間Ｓ全体の照度を保つように機能し、第１演出照明５１、第２演出照明５２、及び第３演出照明５３は、照射する照明光によって浴室１０内の演出を行うように機能する構成であった。しかしながら、第１演出照明５１、第２演出照明５２、及び第３演出照明５３は、照射する照明光によって浴室空間Ｓ全体の照度を保つように主照明４０と同等の機能を有し、主照明としての役割を果たしてもよい。
（９）実施例１，２では、第２演出照明５２及び第３演出照明５３等、浴室１０に設けられるその他の照明が、制御装置６０によって同調制御される構成であってもよい。
（１０）実施例１，２では、第１操作部７０が、有線通信で制御装置６０と通信を行う構成であってもよい。
（１１）実施例１，２では、第１操作部７０及び第２操作部９０が備える各種ボタンが、静電式タッチパネルによって操作される操作部であってもよい。
（１２）実施例１，２では、主照明４０が天井パネルの一側とは反対側の縁部分にも埋め込まれていてもよい。
【符号の説明】
【００６０】
１０…浴室
３０…照明装置
４０…主照明
５１…第１演出照明（演出照明）
６１…制御部
６２…主照明制御部
６３…演出照明制御部
７０…第１操作部
８１…同調操作部
８２Ａ…第１調光ボタン（第１調光操作部）
８２Ｂ…第２調光ボタン（第２調光操作部）
８３Ａ…第１調色ボタン（第１調色操作部）
８３Ｂ…第２調色ボタン（第２調色操作部）
８５…第１主照明ボタン（第１主照明操作部）
８６…第１演出照明ボタン（演出照明操作部）
９０…第２操作部
９１…第２主照明ボタン（第２主照明操作部）
【図１】
2019046547.tif 000003
【図２】
2019046547.tif 000004
【図３】
2019046547.tif 000005
【図４】
2019046547.tif 000006
【図５】
2019046547.tif 000007
【図６】
2019046547.tif 000008
【図７】
2019046547.tif 000009